(57)【要約】【課題】  ホース収納水栓において、ホースをキャビネット内部の狭い範囲で収容できるようにし、ホースがキャビネット内部で収納箱等に干渉しないようにする。【解決手段】  カウンター１に固定される水栓本体３ａと、この水栓本体３ａの外周面に装着されるホルダー９と、このホルダー９に引出し自在に支持されるシャワーヘッド８とを備え、前記水栓本体３ａの下部にはカウンター１の下部に形成されたキャビネットＡの内部に延設し湯水を供給する供給管５が垂設され、前記ホルダー９にはシャワーヘッド８と接続するホース１０が引出し自在に収納され、ホース１０の基端と前記供給管５とは継手部材１３により接続され、ホース１０はキャビネットＡの内部で略Ｕ字状に垂れ下がるようにしたホース収納水栓３において、前記ホース１０が挿通する挿通孔２２，２３が穿設されたホースガイド２０を継手部材１３の下部でホース１０に装着した。【選択図】図１
2008291537.tif 000002
【特許請求の範囲】
【請求項１】
カウンターに固定される水栓本体と、この水栓本体の外周面に装着されるホルダーと、このホルダーに引出し自在に支持されるシャワーヘッドとを備え、前記水栓本体の下部にはカウンターの下部に形成されたキャビネットの内部に延設し湯水を供給する供給管が垂設され、前記ホルダーにはシャワーヘッドと接続するホースが引出し自在に収納され、ホースの基端と前記供給管とは継手部材により接続され、ホースはキャビネットの内部で略Ｕ字状に垂れ下がるようにしたホース収納水栓において、前記ホースが挿通する挿通孔が穿設されたホースガイドを継手部材の下部でホースに装着したことを特徴とするホース収納水栓。
【請求項２】
前記ホースガイドはホースの基端に装着したことを特徴とする請求項１記載のホース収納水栓。
【請求項３】
前記ホースガイドはその基端部と先端部とを結ぶ軸線が、キャビネットの正面部と側面部との間を向くように位置決めした状態で装着したことを特徴とする請求項１又は請求項２記載のホース収納水栓。
【発明の詳細な説明】
【技術分野】
【０００１】
本発明は、流し台又は洗面化粧台等に固定されて使用されるホース収納水栓に関する。
【背景技術】
【０００２】
従来、流し台又は洗面化粧台等のカウンターに固定される水栓が、シャワーヘッドをホースと共にホルダーから引出して使用するホース収納水栓の場合、水栓本体とシャワーヘッドとを接続するホースは、カウンターの下部に形成されたキャビネット内部の空間に落とし込まれ、略Ｕ字状に垂れ下がるようにした状態としているが、キャビネット内部の空間には流し台又は洗面化粧台等で使用するための様々な物品が収容されているため狭く、しかもシャワーヘッドの使用時の作業性を良好とするためホースの全長を長くするほど、ホースは暴れてキャビネット内部で他の物品に接触してしまい、ホースのホルダーへの収納及びホルダーからの引出しをスムーズに行なうことができないという問題があった。
【０００３】
そこで特許文献１は、カウンターに固定される本体部から突設された吐水管内には、先端にシャワーヘッド部を有するホースが引出し自在に内装され、このホースは前記本体部内を通り本体部から垂下され、ホースの他端が、本体部から垂設された混合湯を吐出する混合吐水管の下端にソケット部を介し連結されてなるホース収納水栓において、前記ソケット部には、前記ホースが挿通する垂直方向のホース挿通孔を有するホースガイドを設けていた。従って、ホースはホースガイドの下側で略Ｕ字状に垂れ下がり、キャビネットの内部での収納空間を狭くすることができるものである。
【０００４】
【特許文献１】特許第２８１３９５４号公報
【発明の開示】
【発明が解決しようとする課題】
【０００５】
特許文献１のホース収納水栓においては、ホースガイドはソケット部に設けられているため、カウンターの下部でホースガイドによりホースを支持する位置は、キャビネットの内部空間において比較的高い位置となり、ホースガイドよりも低い位置でのホースの全長が長くなる。このため、ホースガイドの下部でホースは大きく撓んだ状態で収容される。また、ホースガイドはホースが挿通するホース挿通孔がソケット部の正面側に位置しているため、ホースはキャビネットの内部で正面側への出代が大きく、例えば、流し台の正面側からキャビネッット内部の奥側に向けて、物品を収容するための収納箱が収納されていると、キャビネット内部で収納箱より奥で垂れ下がっているホースがこの収納箱に対し干渉してしまう恐れがあり、その改善が望まれていた。
【０００６】
本発明は、このような従来の技術に存在する問題点に着目してなされたものであり、その目的は、キャビネット内部でホースが略Ｕ字状に垂れ下がるようにしたホース収納水栓において、ホースをキャビネット内部の狭い範囲で収容できるようにし、ホースがキャビネット内部で収納箱等に干渉しないようにすることで、シャワーヘッドのホルダーへの収納及びホルダーからの引出しを円滑に行なえるようにすることにある。
【課題を解決するための手段】
【０００７】
上記目的を達成するため、請求項１に記載の発明によるホース収納水栓は、カウンターに固定される水栓本体と、この水栓本体の外周面に装着されるホルダーと、このホルダーに引出し自在に支持されるシャワーヘッドとを備え、前記水栓本体の下部にはカウンターの下部に形成されたキャビネットの内部に延設し湯水を供給する供給管が垂設され、前記ホルダーにはシャワーヘッドと接続するホースが引出し自在に収納され、ホースの基端と前記供給管とは継手部材により接続され、ホースはキャビネットの内部で略Ｕ字状に垂れ下がるようにしたホース収納水栓において、前記ホースが挿通する挿通孔が穿設されたホースガイドを継手部材の下部でホースに装着したものである。
【０００８】
請求項２では請求項１記載の発明によるホース収納水栓において、前記ホースガイドはホースの基端に装着したものである。
【０００９】
請求項３では請求項１又は請求項２記載の発明によるホース収納水栓において、前記ホースガイドはその基端部と先端部とを結ぶ軸線が、キャビネットの正面部と側面部との間を向くように位置決めした状態で装着したものである。
【発明の効果】
【００１０】
本発明の請求項１のホース収納水栓は、キャビネット内部でのホースが占有する空間が狭くなり、ホースがキャビネット内部で収納箱等に干渉するのを防止することができ、シャワーヘッドのホルダーへの収納及びホルダーからの引出しを円滑に行なうことができる。
【００１１】
請求項２のホース収納水栓は、ホースガイドはホースに対して安定した状態で装着され、シャワーヘッドのホルダーへの収納及びホルダーからの引出し時のホースの揺れがなく、ホースがキャビネット内部で収納箱等に干渉するのを防止することができる。
【００１２】
請求項３のホース収納水栓は、ホースガイドのホースに対する装着位置を位置決めすることで、ホースは収納箱等から遠ざかり、ホースの収納箱等への干渉を防止することにより、シャワーヘッドのホルダーへの収納及びホルダーからの引出しを円滑に行なうことができる。
【発明を実施するための最良の形態】
【００１３】
以下、本発明を具体化した実施例を図に基づいて詳細に説明する。
【実施例】
【００１４】
本発明のホース収納水栓３は図１及び図２に示すように、水栓本体３ａの下部に固定軸４が突出して形成され、この固定軸４を流し台又は洗面化粧台のカウンター１に穿設された取付孔２に上部から挿通し、カウンター１の下部に形成されたキャビネットＡの内部からスペーサー４ａを固定軸４に挿通した後に供給管５を螺着することで、カウンター１に起立した状態で固定される。
【００１５】
前記水栓本体３ａの内部には円盤型の固定板及び可動板を上下に重ね合わせた弁機構６が収容されており、この弁機構６と連繋したレバー７を上下又は左右に操作することで、シャワーヘッド８から吐水される湯水の吐水流量又は温度が調節される。
【００１６】
前記ホース収納水栓３の固定軸４と弁機構６との間で水栓本体３ａの外周面には、ホルダー９が回転自在に装着されており、このホルダー９はホース１０の先端に結合されたシャワーヘッド８を引出し自在に支持し、シャワーヘッド８はホルダー９に支持された状態、又はホース１０と共にホルダー９から引出して使用され、前記レバー７を吐水方向へ操作すれば、弁機構６により湯水の吐水流量及び吐水温度が調節され、調節された湯水はシャワーヘッド８から吐水されるようにしている。
【００１７】
前記水栓本体３ａの下部には固定軸４と併設して、弁機構６に対し湯側止水栓Ｃを介して湯を供給する湯管１１、及び水側止水栓Ｄを介して水を供給する水管１２が延設され、さらに前記弁機構６により吐水流量及び吐水温度が調節された湯水を、ホース１０を介してシャワーヘッド８へ供給する供給管５が延設され、この供給管５の下端には継手部材１３により前記ホース１０が接続されている。
【００１８】
前記ホース１０はホルダー９の内部からカウンター１の取付孔２を挿通してカウンター１の下部でキャビネットＡの内部に略Ｕ字状に垂れ下がった状態で収容され、このホース１０はシャワーヘッド８をホルダー９から引出して、カウンター１に設けられているシンク１ａ内及びその周囲の広い範囲に対し湯水を吐水できる長さとし、その基端は前記継手部材１３により供給管５に接続されている。
【００１９】
前記ホース１０は自在に屈曲できる材質からなる金属製又は合成樹脂製であり、その外周面全体にわたって凹凸部１０ａが形成され、この凹凸部１０ａを利用してホースガイド２０が装着される。ホースガイド２０はホース１０のキャビネットＡ内部での占有空間を制限するためのものであり、本実施例ではホース１０の基端で継手部材１３との接続部の下部に装着されている。なお、ホースガイド２０のホース１０に対する装着位置は、ホース１０の基端だけでなく、継手部材１３より低い位置であればよいが、継手部材１３は供給管５の下部に接続されており、シャワーヘッド８をホルダー９から引出したりホルダー９へ収納する場合にホース１０は揺れるが、継手部材１３はカウンター１に固定された水栓本体３ａの下部に設けられているため揺れることがなく、継手部材１３の下部であるホース１０の基端へ装着すればホースガイド２０がホース１０と共に揺れることがない。ホース１０にはホースガイド２０より下部にストッパー３０が装着されており、このストッパー３０はシャワーヘッド８のホルダー９からの引出し時において、ホース１０のホルダー９からの引出し長さを制限するものであり、ホース１０に対しキャビネットＡの内部で装着されている。
【００２０】
前記ホースガイド２０は合成樹脂製であり、図４乃至図６に示すように、略長方形状で両端に丸みを持たせた形状の本体２１には一対の挿通孔２２、２３が併設され、互いの挿通孔２２、２３は垂直方向に穿設されている。この第１挿通孔２２にはホース１０の基端側を挿通し、第２挿通孔２３にはホース１０の先端側を挿通するものであり、本体２１の一方の側面から第１挿通孔２２に貫通するように横孔２４が設けられ、この横孔２４には抜止リング２５が装着される。
【００２１】
前記抜止リング２５は弾性力を備えた合成樹脂材で形成され、図４に示すように基部２５ａの両端から略直角方向に延びる支持部２５ｂ，２５ｂと、この支持部２５ｂ，２５ｂの内側に設けられた平面略半円形状の把持部２５ｃとを備えた平面略コ字形に形成されている。抜止リング２５の把持部２５ｃはその先端部が拡径，縮径方向に弾性変形可能で、図６に示すように、ホース１０の凹凸部１０ａに対して弾力的に係合するように形成されている。この抜止リング２５をホースガイド２０の横孔２４に挿入し、ホース１０の外周面に形成された凹凸部１０ａに対し弾力的に係合することで、ホースガイド２０はホース１０に対し強固に装着される。
【００２２】
前記ホースガイド２０をホース１０に装着する場合、ホースガイド２０の第１挿通孔２２にホース１０を挿通させた後に、ホースガイド２０を左右に回転させて位置決めを行なうことで、ホースガイド２０はホース１０に対し、その基端部２０ａから先端部２０ｂがどの方向を向く向きであっても装着することができるが、図１及び図３に示すように、キャビネットＡの内部で物品を収容するための収納箱Ｂが正面側から比較的奥側まで収納されていると、キャビネットＡの内部で広い面積を占有している収納箱Ｂに対しホース１０が干渉する恐れがある。そこで、ホースガイド２０は継手部材１３及び供給管５と比較して低い位置である、ホース１０の基端部に装着することで、その下部に形成されるホース１０の垂れ下がり部の面積は比較的狭く、ホース１０のホースガイド２０から前方への出代が小さくなり、キャビネットＡの前部に収納箱Ｂが収納されていても、ホース１０が収納箱Ｂに対し干渉するのを防止することができ、シャワーヘッド８のホルダー９からの引出し及び収納を円滑に行なうことができる。
【００２３】
さらに、ホース１０がキャビネットＡの内部で収納箱Ｂ、湯側止水栓Ｃ、水側止水栓Ｄの何れにも接近しないようにするため、ホースガイド２０の基端部２０ａと先端部２０ｂとを結ぶ軸線が収納箱Ｂの裏側及び両止水栓Ｃ、Ｄの何れに対してもその正面方向に向かないようにホースガイド２０をホース１０へ装着する。即ち、ホースガイド２０のホース１０に対する装着位置を、その基端部２０ａと先端部２０ｂとを結ぶ軸線が収納箱ＢとキャビネットＡの側面との間で、好ましくは図３に示すように両方向の中間位置とすることで、ホース１０は収納箱Ｂ及びキャビネットＡの側面から遠ざかり、ホース１０の収納箱Ｂ又は各止水栓Ｃ、Ｄへの干渉を防止することができる。
【００２４】
以上のように、ホース収納水栓３はホースガイド２０が継手部材１３の下部でホース１０に対し装着されており、詳しくは、継手部材１３とシャワーヘッド８との間に接続されるホース１０において、その基端側で継手部材１３との接続部の下部にホースガイド２０が装着されている。従って、ホース１０のキャビネットＡ内部でのホース１０が占有する空間が狭くなり、キャビネットＡ内部でホース１０が収納箱Ｂ等に干渉するのを防止することができ、シャワーヘッド８のホルダー９への収納及びホルダー９からの引出しを円滑に行なうことができる。
【図面の簡単な説明】
【００２５】
【図１】本発明のホース収納水栓が装着された流し台の説明図である。
【図２】本発明のホース収納水栓の正面図である。
【図３】図１の要部平面図である。
【図４】ホースガイドの側断面図である。
【図５】ホースガイドの側面図である。
【図６】ホースガイドをホースに装着した状態の説明図である。
【符号の説明】
【００２６】
１      ：カウンター
３      ：ホース収納水栓
３ａ    ：水栓本体
５      ：供給管
８      ：シャワーヘッド
９      ：ホルダー
１０    ：ホース
１３    ：継手部材
２０    ：ホースガイド
２０ａ  ：基端部
２０ｂ  ：先端部
２２    ：第１挿通孔
２３    ：第２挿通孔
Ａ      ：キャビネット
【図１】
2008291537.tif 000003
【図２】
2008291537.tif 000004
【図３】
2008291537.tif 000005
【図４】
2008291537.tif 000006
【図５】
2008291537.tif 000007
【図６】
2008291537.tif 000008